(57)【要約】【課題】資源の利用効率とネットワークの接続の信頼性をとの双方を向上させた通信システム、マルチレイヤネットワークの構成方法及びリング管理サーバを提供する。【解決手段】中継網Ｂ１上に設定された通信回線Ｐ１〜Ｐ４を論理的なリンクとして、中継網Ｂ１に接続された異なる局所網Ｌ１〜Ｌ３間を接続して広域網Ｗ１を構成する通信システムであって、広域網Ｗ１を構成する局所網Ｌ１〜Ｌ３間の接続形態がリング型となるように、中継網Ｂ１上に通信回線Ｐ１〜Ｐ４を設定するリング管理サーバＭ１を有し、リング管理サーバＭ１は、広域網Ｗ１から局所網Ｌ１〜Ｌ３のいずれかが削除された際には、論理的なリンクの一部を削除して、通信回線Ｐ１〜Ｐ４が通るノード数を削減させる。【選択図】図１
2010226335.tif 000002
【特許請求の範囲】
【請求項１】
中継網上に設定された通信回線を論理的なリンクとして、前記中継網に接続された異なる局所網間を接続して広域網を構成する通信システムであって、
前記広域網を構成する前記局所網間の接続形態がリング型となるように、前記中継網上に前記通信回線を設定するリング管理サーバを有し、
前記リング管理サーバは、前記広域網から前記局所網が削除された際には、前記論理的なリンクの一部を削除して、前記通信回線が通るノード数を削減させることを特徴とする通信システム。
【請求項２】
前記リング管理サーバは、前記削除された局所網を端点とする２本の通信回線の反対側の端点同士を結ぶ通信回線を追加し、前記局所網を端点とする２本の通信回線を削除することを特徴とする請求項１記載の通信システム。
【請求項３】
前記リング管理サーバは、前記局所網と前記中継網との境界に位置する境界ノード及びリンク並びに前記通信回線の経路及び帯域を管理するリング管理手段を有することを特徴とする請求項１又は２記載の通信システム。
【請求項４】
前記リング管理サーバは、
前記中継網のノード及び前記境界ノードと制御メッセージを送受信するための制御通信手段と、
前記制御通信手段を介して前記境界ノード及び前記中継網内のノードにおけるスイッチの切り替えを行う資源制御手段と、
前記通信回線上の経路を決定する経路制御手段とを有することを特徴とする請求項３記載の通信システム。
【請求項５】
前記リング管理サーバは、前記中継網のトポロジ情報を格納する手段を有し、
前記経路制御手段は、前記中継網のトポロジ情報を基に、前記通信回線の経路を決定することを特徴とする請求項４記載の通信システム。
【請求項６】
中継網上に論理的なリンクとして設定された通信回線によって複数の局所網を接続し、広域網を構築するマルチレイヤネットワークの構成方法であって、
前記局所網がリング型で接続されるように前記通信回線を設定し、
前記広域網から前記局所網が削除された際には、前記論理的なリンクの一部を削除して、前記通信回線が通るノード数を削減させることを特徴とするマルチレイヤネットワークの構成方法。
【請求項７】
前記削除された局所網を端点とする２本の通信回線の反対側の端点同士を結ぶ通信回線を追加し、前記局所網を端点とする２本の通信回線を削除することを特徴とする請求項６記載のマルチレイヤネットワークの構成方法。
【請求項８】
前記広域網に局所網が追加された場合に、該追加された局所網と中継網との境界に位置する境界ノードが含まれるように、前記リング型の通信回線を再構築することを特徴とする請求項６又は７記載のマルチレイヤネットワークの構成方法。
【請求項９】
前記広域網を構成している前記中継網上の通信回線が使用している帯域を用いることなく、前記局所網がリング型で接続されるように前記中継網上の通信回線を制御して、前記広域網を再構成することを特徴とする請求項６から８のいずれか１項記載のマルチレイヤネットワークの構成方法。
【請求項１０】
二つの隣接する局所網を前記広域網と共通して有する第２の広域網を、前記広域網と同様に構築し、前記隣接する二つの局所網間を接続する通信回線を前記広域網と前記第２の広域網とで共有することを特徴とする請求項６から９記載のマルチレイヤネットワークの構成方法。
【請求項１１】
中継網上に設定された通信回線を論理的なリンクとして、前記中継網に接続された異なる局所網間を接続して広域網を構成するための前記局所網間の接続形態がリング型となるように、前記中継網上に前記通信回線を決定し、
前記広域網から前記局所網が削除された際には、前記論理的なリンクの一部を削除して、前記通信回線が通るノード数を削減させることを特徴とするリング管理サーバ。
【請求項１２】
前記局所網と前記中継網との境界に位置する境界ノード及びリンク並びに前記通信回線の経路及び帯域を管理するリング管理手段を有することを特徴とする請求項１１記載のリング管理サーバ。
【請求項１３】
前記中継網のノード及び前記境界ノードと制御メッセージを送受信するための制御通信手段と、
前記制御通信手段を介して前記境界ノード及び前記中継網内のノードにおけるスイッチの切り替えを行う資源制御手段と、
前記通信回線上の経路を決定する経路制御手段とを有することを特徴とする請求項１２記載のリング管理サーバ。
【請求項１４】
決定した通信回線の経路上の各ノードへ前記制御通信手段を介してスイッチ切り替えメッセージを送信して前記通信回線を設定させ、前記局所網間をリング型に接続することを特徴とする請求項１３記載のリング管理サーバ。
【請求項１５】
前記中継網のトポロジ情報を格納する手段を有し、
前記経路制御手段は、前記中継網のトポロジ情報を基に、前記通信回線の経路を決定することを特徴とする請求項１３又は１４記載のリング管理サーバ。
【発明の詳細な説明】
【技術分野】
【０００１】
本発明は、中継網上に設定された通信回線によって、該中継網に接続されている複数の局所網間を接続し、広域網を構成する通信システム及び通信回線設定方法に関する。
【背景技術】
【０００２】
地理的に離れた場所に位置する複数の局所網を一つのネットワークに統合する広域網サービスが企業を中心に普及している。各局所網は中継網に接続しており、局所網間は中継網において設定された通信回線によって接続される。
【０００３】
広域網内を流れるトラヒック量の増加から、中継網に対してより広帯域な通信回線が望まれている。そこで、中継網には信号を光の波長単位で切り替えられるＯＸＣ（Optical Cross-Connect）で構成された光ネットワークが導入され、局所網間を接続する通信回線として広帯域な光パスを提供できるようになってきた。
【０００４】
局所網の多くはイーサネット（登録商標）で構築されている。イーサネットではＳＴＰ（Spanning Tree Protocol）やＲＳＴＰ（Rapid Spanning Tree Protocol）を用いて、スパニングツリーと呼ばれる他のノードに対する経路を計算し、このツリーに基づいて通信する。
【０００５】
一方、元々光パスはネットワークのオペレータによって手動で設定されていたが、ＧＭＰＬＳ（Generalized Multi-Protocol Label Switching）などのプロトコル群を導入することによって、光ネットワークを自動的に制御できるようになった。
【０００６】
特許文献１に開示される発明では、イーサネットと光ネットワークとの境界に位置するエッジノードが、ＳＴＰの動作に合わせて、自身と他方の局所網のエッジノードとを繋ぐ光パスを自動的に設定し、広域網を自動的に構成する。
【先行技術文献】
【特許文献】
【０００７】
【特許文献１】特開２００７−６７８１３号公報
【特許文献２】特開２００８−０２２５２３号公報
【特許文献３】再公表特許ＷＯ２００４−００４２５２
【特許文献４】特開平１１−３３１２７５号公報
【発明の概要】
【発明が解決しようとする課題】
【０００８】
上記特許文献１に開示される発明は、エッジノードが自身と他の局所網のエッジノードとを繋ぐ光パスを制御するため、広域網はツリー状のトポロジで構成される。従って、Ｎ箇所の局所網を一つの広域網に接続するためにＮ−１本の光パスが必要となる。
広域網サービスは主に企業を対象としているという性質上、ネットワークの障害に対して高い信頼性が要求される。このため、１＋１プロテクションや１：１プロテクションによって各通信回線を冗長化すると、Ｎ箇所の局所網を繋ぐために２（Ｎ＋１）本の光パスが必要となる。
【０００９】
しかし、この冗長化は光パスの障害に対してのみ有効である。広域網において、ツリー状のトポロジに含まれるエッジノードが故障した場合、広域網がいくつかの島に分断される恐れがある。
【００１０】
このような事態に対し、特許文献１ではスパニングツリーを再計算し、新規に光パスを設定することで対処している。
【００１１】
しかし、この方法では、スパニングツリーを計算して、光パスの設定が完了するまでは広域網は分断されたままとなる。
【００１２】
信頼性を高めるために、予め各局所網のエッジノードと他の全ての局所網のエッジノードとを光パスで接続し、広域網をフルメッシュ状のトポロジで構成する方法も考えられる。しかしながら、光ネットワークとイーサネットとを接続するには、イーサネットの電気信号と光ネットワークの光信号を変換・入出力できるトランスポンダが必要である。設定しなければならない光パスの数が増えるほど、必要となるトランスポンダの数も増える。トランスポンダは高価であるため、必要なトランスポンダ数を抑えること、すなわち設定しなければならない光パス数を抑えることが、広域網サービスを安価に提供するための課題となっている。よって、広域網をメッシュ状に構成する方法は、コストの観点から現実的ではない。
【００１３】
このように、光パスでイーサネット局所網を接続する広域網サービスでは、信頼性の向上と資源の利用効率の改善とがトレードオフの関係にあり、それらを両立することができていなかった。
【００１４】
特許文献２に開示される発明は、リングの経路計算手段を備えた構成であるが、リングを構成するパスの設定の仕方によっては、通信が遮断されてしまう。すなわち、特許文献２に開示される発明は、リングの拡大（リングが通るノードの追加）のみしか想定していない。
【００１５】
特許文献３に開示される発明は、ツリー型の経路を計算するものであるが、ツリー型の経路では上記のように、一部が島状に分断される可能性があり、信頼性が高いとは言えない。
【００１６】
特許文献４に開示される発明は、公衆網自体がリング型であることが前提となっており、公衆網がメッシュ状である場合には適用できない。
【００１７】
本発明はかかる問題に鑑みてなされたものであり、資源の利用効率とネットワークの接続の信頼性をとの双方を向上させた通信システム、マルチレイヤネットワークの構成方法及びリング管理サーバを提供することを目的とする。
【課題を解決するための手段】
【００１８】
上記目的を達成するため、本発明は、第１の態様として、中継網上に設定された通信回線を論理的なリンクとして、中継網に接続された異なる局所網間を接続して広域網を構成する通信システムであって、広域網を構成する局所網間の接続形態がリング型となるように、中継網上に通信回線を設定するリング管理サーバを有し、リング管理サーバは、広域網から局所網が削除された際には、論理的なリンクの一部を削除して、通信回線が通るノード数を削減させることを特徴とする通信システムを提供するものである。
【００１９】
また、上記目的を達成するため、本発明は、第２の態様として、中継網上に論理的なリンクとして設定された通信回線によって複数の局所網を接続し、広域網を構築するマルチレイヤネットワークの構成方法であって、局所網がリング型で接続されるように通信回線を設定し、広域網から局所網が削除された際には、論理的なリンクの一部を削除して、通信回線が通るノード数を削減させることを特徴とするマルチレイヤネットワークの構成方法を提供するものである。
【００２０】
また、上記目的を達成するため、本発明は、第３の態様として、中継網上に設定された通信回線を論理的なリンクとして、中継網に接続された異なる局所網間を接続して広域網を構成するための局所網間の接続形態がリング型となるように、中継網上に通信回線を決定し、広域網から局所網が削除された際には、論理的なリンクの一部を削除して、通信回線が通るノード数を削減させることを特徴とするリング管理サーバを提供するものである。
【発明の効果】
【００２１】
本発明によれば、資源の利用効率とネットワークの接続の信頼性をとの双方を向上させた通信システム、マルチレイヤネットワークの構成方法及びリング管理サーバを提供できる。
【図面の簡単な説明】
【００２２】
【図１】本発明の好適な実施の形態に係る通信システムの構成を示す図である。
【図２】本発明の好適な実施の形態に係る通信システムを適用したネットワークの全体構成を示す図である。
【図３】各種ネットワーク装置の内部構成を示す図である。
【図４】広域網の識別子の登録の手順を示す図である。
【図５】リング管理サーバ内の広域網識別子管理用テーブルを示す図である。
【図６】新規リングの作成手順を示す図である。
【図７】既存リングへの局所網追加手順を示す図である。
【図８】リング管理サーバ内の通信回線管理用テーブルを示す図である。
【図９】二つの広域網に共通して含まれる隣接ノード間の通信回線を共有された状態を示す図である。
【発明を実施するための形態】
【００２３】
本発明の好適な実施の形態について説明する。
図１に、本発明の好適な実施の形態に係る通信システムの構成を示す。中継網Ｂ１上に設定された通信回線Ｐ１〜Ｐ４を論理的なリンクとして、中継網Ｂ１に接続された異なる局所網Ｌ１〜Ｌ３間を接続して広域網Ｗ１を構成する通信システムであって、広域網Ｗ１を構成する局所網Ｌ１〜Ｌ３間の接続形態がリング型となるように、中継網Ｂ１上に通信回線Ｐ１〜Ｐ４を設定するリング管理サーバＭ１を有し、リング管理サーバＭ１は、広域網Ｗ１から局所網Ｌ１〜Ｌ３のいずれかが削除された際には、論理的なリンクの一部を削除して、通信回線Ｐ１〜Ｐ４が通るノード数を削減させる。
【００２４】
図２に、本発明の好適な実施の形態に係る通信システムを適用したネットワークの構成を示す。広域網サービスを提供するネットワークは、中継網Ｂ１と、中継網Ｂ１に接続する複数の局所網Ｌ１〜Ｌ３で構成されている。中継網Ｂ１は、ＯＸＣ  Ｘ１〜Ｘ３とそれらを結ぶ光ファイバ、さらに各ＯＸＣ  Ｘ１〜Ｘ３と接続されたエッジノードＥ１〜Ｅ３で構成される。
【００２５】
各ＯＸＣ−エッジノード間は、図２に示すように、トランスポンダＴ１〜Ｔｎを介して接続されている。ここでｎは波長数である。各トランスポンダはエッジノードから入力された電気信号を光信号に変換してＯＸＣ側へ送り出す。また、逆にＯＸＣ側から入力された光信号を電気信号に変換してエッジノードへ送り出す。
【００２６】
例として、各局所網Ｌ１〜Ｌ３はイーサネット網で構成される。各局所網のゲートウェイＵ１〜Ｕ３は、中継網Ｂ１のエッジノードＥ１〜Ｅ３と接続している。
【００２７】
ＯＸＣ  Ｘ１〜Ｘ３、エッジノードＥ１〜Ｅ３及びゲートウェイＵ１〜Ｕ３は、それぞれ制御部ＣＸ１〜ＣＸ３、ＣＥ１〜ＣＥ３、ＣＵ１〜ＣＵ３を持つ。各スイッチとその制御部は物理的に一つのノードに備えられているか、もしくは、異なるノードとして存在する。
【００２８】
図３（ａ）に、ゲートウェイ制御部（ＣＵ１〜ＣＵ３）の構成を示す。ゲートウェイ制御部は、中継網Ｂ１のエッジノード制御部（ＣＥ１〜ＣＥ３）と制御メッセージによる通信を行うユーザ制御通信部ＴＵ１、シグナリングメッセージを作成・処理する資源制御部ＳＣ１、リンクの状態を示すメッセージを生成・処理する経路制御部ＲＣ１、ゲートウェイのスイッチ制御部ＸＣ１を含む。スイッチ制御部ＸＣ１は、制御の対象となるゲートウェイと接続されており、ゲートウェイ内のスイッチの切り替えを制御する。
【００２９】
図３（ｂ）に、エッジノード制御部（ＣＥ１〜ＣＥ３）の構成を示す。エッジノード制御部は、ゲートウェイ制御部（ＣＵ１〜ＣＵ３）と制御メッセージによる通信を行うユーザ制御通信部ＴＵ２、中継網Ｂ１内のＯＸＣ制御部（ＣＸ１〜ＣＸ３）と制御メッセージによる通信を行う中継網制御通信部ＴＢ２、シグナリングメッセージを生成・処理する資源制御部ＳＣ２、リンクの状態を示すメッセージを生成・処理する経路制御部ＲＣ２、エッジノードのスイッチ制御部ＸＣ２を含む。スイッチ制御部ＸＣ２は、制御の対象となるエッジノードと接続されており、エッジノード内のスイッチの切り替えを制御する。
【００３０】
図３（ｃ）に、ＯＸＣ制御部（ＣＸ１〜ＣＸ３）の構成を示す。ＯＸＣ制御部は、エッジノード制御部（ＣＥ１〜ＣＥ３）及び中継網Ｂ１内の他のＯＸＣ制御部、リング管理サーバＭ１と制御メッセージによる通信を行う中継網制御通信部ＴＢ３、シグナリングメッセージを生成・処理する資源制御部ＳＣ３、リンクの状態を示すメッセージを生成・処理する経路制御部ＲＣ３、ＯＸＣのスイッチ制御部ＸＣ３を含む。スイッチ制御部ＸＣ３は、制御の対象となるＯＸＣと接続されており、ＯＸＣ内のスイッチの切り替えを制御する。
【００３１】
以上の各制御部は、図２の上段に示すように接続され、制御プレーンＣ１を構成する。制御プレーンＣ１のリンクはそれぞれ、中継網Ｂ１及び中継網Ｂ１と各局所網Ｌ１〜Ｌ３とを繋ぐリンクと物理的に同一でも良いし、異なるリンクでも良い。前者の場合は、制御プレーンＣ１に含まれるリンクを論理的に分離する。
【００３２】
制御プレーンＣ１内には、さらにＯＸＣの制御部ＣＸ１〜ＣＸ３と通信できる位置にリング管理サーバＭ１が設置されている。
【００３３】
図３（ｄ）に、リング管理サーバＭ１の構成を示す。リング管理サーバＭ１は、中継網Ｂ１内のＯＸＣ制御部と制御メッセージによる通信を行う中継網制御通信部ＴＢ４、広域網を構成するリングの情報（通信回線の経路及び帯域）を管理するリング管理部ＲＭ４、シグナリングメッセージを生成・処理する資源制御部ＳＣ４、リンクの状態を示すメッセージを処理する経路制御部ＲＣ４、中継網Ｂ１のトポロジ情報を管理するトポロジ管理部ＴＭ４、中継網Ｂ１内の通信回線の経路を計算する経路計算部ＰＣ４を含む。
【００３４】
図２に示す広域網Ｗ１を新規に構築する場合を例として動作について説明する。ここで、広域網Ｗ１が有する局所網は局所網Ｌ１〜Ｌ３の三つである。
【００３５】
初めに局所網Ｌ１が、リング管理サーバＭ１に広域網Ｗ１に接続可能な局所網として自身を登録する。この処理は、図４に示す手順で進められる。まず、局所網Ｌ１のゲートウェイ制御部ＣＵ１が要求登録メッセージＭ１０１を作成し、隣接するエッジノード制御部ＣＥ１へ送信する（ステップＳ１０１）。登録要求メッセージＭ１０１には、メッセージの識別子、局所網Ｌ１の識別子とゲートウェイＵ１の識別子が含まれる。
【００３６】
登録要求メッセージＭ１０１を受信したエッジノード制御部ＣＥ１は、登録要求メッセージＭ１０２を作成し、リング管理サーバＭ１に向けて送信する（ステップＳ１０２）。登録要求メッセージＭ１０２には、メッセージの識別子、局所網Ｌ１の識別子、ゲートウェイＵ１の識別子に加え、エッジノードＥ１の識別子が含まれる。登録要求メッセージＭ１０２は直接又はいくつかのＯＸＣ制御部を経てリング管理サーバＭ１に届けられる。図２の例では、登録要求メッセージＭ１０２はＯＸＣ制御部ＣＸ１を経由する。
【００３７】
登録要求メッセージＭ１０２を受信したリング管理サーバＭ１は、局所網Ｌ１の識別子、ゲートウェイＵ１の識別子、エッジノードＥ１の識別子をリング管理部ＲＭ４に記録する（ステップＳ１０３）。リング管理部ＲＭ４は、この登録要求に対して広域網の識別子Ｗ１を採番し、これらの識別子と共に図５に示すように対応関係を持たせて記録する。これにより、リング管理サーバＭ１は、局所網Ｌ１がゲートウェイＵ１とエッジノードＥ１を介して広域網Ｗ１に接続することを許可する。
【００３８】
また、リング管理サーバＭ１は、登録要求メッセージＭ１０２に対する応答メッセージＭ１０３を作成し、エッジノード制御部ＣＥ１に向けて返信する（ステップＳ１０４）。応答メッセージＭ１０３にはリング管理サーバＭ１によって採番された広域網の識別子Ｗ１が含まれる。応答メッセージＭ１０３は、直接又はいくつかのＯＸＣ制御部を経てエッジノード制御部ＣＥ１に届けられる。図２の例では、応答メッセージＭ１０３はエッジノード制御部ＣＥ１を経由する。
【００３９】
応答メッセージＭ１０３を受信したエッジノード制御部ＣＥ１は、対応する応答メッセージＭ１０４を作成し、ゲートウェイ制御部ＣＵ１へ送信する（ステップＳ１０５）。応答メッセージＭ１０４には、リング管理サーバＭ１によって採番された広域網の識別子Ｗ１が含まれる。
【００４０】
応答メッセージＭ１０４を受信したゲートウェイ制御部ＣＵ１は、広域網の識別子Ｗ１を登録する（ステップＳ１０６）。
【００４１】
リング管理サーバＭ１が局所網Ｌ１の登録に失敗した場合、応答メッセージＭ１０３及びＭ１０４は、広域網の識別子の代わりに、登録失敗を表す数値又は文字列を含む。これにより、応答メッセージＭ１０４を受信したゲートウェイ制御部ＣＵ１は、登録が失敗したと判断する。
【００４２】
次に、局所網Ｌ２がリング管理サーバＭ１を介して広域網Ｗ１へ接続する。この処理は図６に示す手順で進められる。まず、局所網Ｌ２のゲートウェイ制御部ＣＵ２が登録要求メッセージＭ２０１を作成し、隣接するエッジノード制御部ＣＥ２へ送信する（ステップＳ２０１）。登録要求メッセージＭ２０１には、メッセージ識別子、局所網Ｌ２の識別子とゲートウェイＵ２の識別子及び広域網Ｗ１の識別子が含まれる。
【００４３】
登録要求メッセージＭ２０１を受信したエッジノード制御部ＣＥ２は、登録要求メッセージＭ２０２を作成し、リング管理サーバＭ１に向けて送信する（ステップＳ２０２）。登録要求メッセージＭ２０２には、メッセージの識別子、局所網Ｌ２の識別子、ゲートウェイＵ２の識別子、エッジノードＥ２識別子、広域網Ｗ１の識別子が含まれる。登録要求メッセージＭ２０２は直接又はいくつかＯＸＣ制御部を経てリング管理サーバＭ１に届けられる。図２の例では、登録要求メッセージＭ２０２はＯＸＣ制御部ＣＸ２を経由する。
【００４４】
登録要求メッセージＭ２０２を受信したリング管理サーバＭ１は、局所網Ｌ２の識別子、ゲートウェイＵ２の識別子、エッジノードＥ２の識別子をリング管理部ＲＭ４に記録する（ステップＳ２０３）。リング管理部ＲＭ４は、この登録要求に対して、登録要求メッセージＭ２０２で指定された広域網の識別子Ｗ１を割り当て、他の識別子とともに図５に示すような対応関係を持たせて記録する。これにより、リング管理サーバＭ１は、局所網Ｌ２がゲートウェイＵ２とエッジノードＥ２とを介して広域網Ｗ１に接続することを許可する。
【００４５】
続いて、リング管理サーバＭ１は、通信回線Ｐ１、Ｐ２を設定する（ステップＳ２０４）。リング管理サーバＭ１は、トポロジ管理部ＴＭ４内のトポロジ情報を基に、経路計算部ＰＣ４において局所網Ｌ１、Ｌ２のゲートウェイＵ１、Ｕ２を繋ぐ通信回線Ｐ１、Ｐ２の経路を計算する。また、それらの計算結果は資源制御部ＳＣ４に渡される。通信回線Ｐ１、Ｐ２の経路を受け取った資源制御部ＳＣ４は中継網制御通信部ＴＢ４を介して、通信回線Ｐ１、Ｐ２が通るノードのスイッチを切り替えるための制御メッセージを送信する。
【００４６】
また、リング管理サーバＭ１は、登録要求メッセージＭ２０２に対する応答メッセージＭ２０３を作成し、エッジノード制御部ＣＥ２に向けて返信する（ステップＳ２０５）。応答メッセージＭ２０３には局所網Ｌ２の広域網Ｗ１への接続完了を示す情報が含まれる。応答メッセージＭ２０３は直接又はいくつかのＯＸＣ制御部を経てエッジノード制御部ＣＥ２に届けられる。図２の例では、応答メッセージＭ２０３はエッジノード制御部ＣＥ２を経由する。
【００４７】
応答メッセージＭ２０３を受信したエッジノード制御部ＣＥ２は、対応する応答メッセージＭ２０４を作成し、ゲートウェイ制御部ＣＵ２へ送信する（ステップＳ２０６）。応答メッセージＭ２０４を受信したゲートウェイ制御部ＣＵ２は、広域網Ｗ１への接続に成功したと判断する。
【００４８】
リング管理サーバＭ１が通信回線Ｐ１又はＰ２の経路計算に失敗した場合、又は通信回線Ｐ１又はＰ２の設定に失敗した場合、応答メッセージＭ２０３及びＭ２０４には、局所網Ｌ２の広域網Ｗ１への接続が失敗したことを示す情報が含まれる。これにより、応答メッセージＭ２０４を受信したゲートウェイ制御部ＣＵ２は、広域網Ｗ１への接続に失敗したと判断する。
【００４９】
さらに、局所網Ｌ３がリング管理サーバＭ１を介して広域網Ｗ１へ接続する。この処理は図７に示す手順で進められる。まず、局所網Ｌ３のゲートウェイ制御部ＣＵ３が登録要求メッセージＭ３０１を作成し、隣接するエッジノード制御部ＣＥ３へ送信する（ステップＳ３０１）。登録要求Ｍ３０１には、メッセージの識別子、局所網Ｌ３の識別子とゲートウェイＵ３の識別子及び広域網Ｗ１の識別子とが含まれる。
【００５０】
登録要求メッセージＭ３０１を受信したエッジノード制御部ＣＥ３は、登録要求メッセージＭ３０２を作成し、リング管理サーバＭ１に向けて送信する（ステップＳ３０２）。登録要求メッセージＭ３０２には、メッセージの識別子、局所網Ｌ３の識別子、ゲートウェイＵ３の識別子、エッジノードＥ３の識別子、広域網Ｗ１の識別子が含まれる。登録要求メッセージＭ３０２は、直接又はいくつかのＯＸＣ制御部を経てリング管理部Ｍ１に届けられる。図２の例では、登録要求メッセージＭ３０２はＯＸＣ制御部ＣＸ３を経由する。
【００５１】
登録要求メッセージＭ３０２を受信したリング管理サーバＭ１は、局所網Ｌ３の識別子、ゲートウェイＵ３の識別子、エッジノードＥ３の識別子をリング管理部ＲＭ４に記録する（ステップＳ３０３）。リング管理部ＲＭ４は、この登録要求に対して、登録要求メッセージＭ３０２で指定された広域網の識別子Ｗ１を割り当て、他の識別子と共に図５に示すような対応関係を持たせて記録する。これにより、リング管理サーバＭ１は、局所網Ｌ３がゲートウェイＵ３とエッジノードＥ３とを介して広域網Ｗ１に接続することを許可する。
【００５２】
続いて、リング管理サーバＭ１は、通信回線Ｐ３、Ｐ４を設定する（ステップＳ３０４）。リング管理サーバＭ１は、トポロジ管理部ＴＭ４内のトポロジ情報を基に、経路計算部ＰＣ４において局所網Ｌ１、Ｌ２のゲートウェイＵ１、Ｕ２と局所網Ｌ３のゲートウェイＵ３を繋ぐ通信回線Ｐ３、Ｐ４の経路を計算する。また、それらの計算結果は資源制御部ＳＣ４に渡される。通信回線Ｐ３、Ｐ４の経路を受け取った資源制御部ＳＣ４は、中継網制御通信部ＴＢ４を介して、通信回線Ｐ３、Ｐ４が通るノードのスイッチを切り替えるための制御メッセージを送信する。
【００５３】
次に、リング管理サーバＭ１は、通信回線Ｐ１又はＰ２を削除する（ステップＳ３０５）。リング管理サーバＭ１は、トポロジ管理部ＴＭ４内のトポロジ情報を基に、局所網Ｌ１、Ｌ２のゲートウェイＵ１、Ｕ２を繋ぐ通信回線Ｐ１、Ｐ２のうち一方を、削除する通信回線として何らかの基準に基づいて選択する。この基準の例としては、通信回線のホップ数などが挙げられる。ホップ数を基準とした場合、図２の例では、Ｐ１の方がＰ２よりもホップ数が小さいため、使用している資源の量も少ない。このため、リング管理サーバＭ１は、通信回線Ｐ２を削除対象として選択する。なお、物理的には通信回線Ｐ２、Ｐ３、Ｐ４はリング状とはならないため、通信回線Ｐ１を削除の対象とする場合には、通信回線Ｐ３、Ｐ４と通信回線Ｐ２とを論理的に区別する必要がある。すなわち、リング管理サーバＭ１は、通信回線Ｐ３、Ｐ４と通信回線Ｐ２とが異なる帯域を使用するように通信回線を設定する。
【００５４】
リング管理サーバＭ１は、削除対象として決定した通信回線Ｐ２の識別子を資源制御部ＳＣ４に渡す。通信回線Ｐ２の識別子を受け取った資源制御部ＳＣ４は、中継網制御通信部ＴＢ４を介して通信回線Ｐ２が通るノードのスイッチを切り替えるための制御メッセージを送信する。以上の結果、リング管理サーバＭ１のリング管理部ＲＭ４では、図８に示すようなテーブルによって、各局所網とそれらを繋ぐ通信回線の対応とが保持される。
【００５５】
また、リング管理サーバＭ１は登録要求メッセージＭ３０２に対する応答メッセージＭ３０３を作成し、エッジノード制御部ＣＥ３に向けて返信する（ステップＳ３０６）。応答メッセージＭ３０３には、局所網Ｌ３の広域網Ｗ１への接続完了を示す情報が含まれる。応答メッセージＭ３０３は直接又はいくつかのＯＸＣ制御部を経てエッジノード制御部ＣＥ３に届けられる。図２の例では、応答メッセージＭ３０３はエッジノード制御部ＣＥ３を経由する。
【００５６】
応答メッセージＭ３０３を受信したエッジノード制御部ＣＥ３は、対応する応答メッセージＭ３０４を作成し、ゲートウェイ制御部ＣＵ３へ送信する（ステップＳ３０７）。応答メッセージＭ３０４には局所網Ｌ３の広域網Ｗ１への接続完了を示す情報が含まれる。これにより、応答メッセージＭ３０４を受信したゲートウェイ制御部ＣＵ３は、広域網Ｗ１への接続に成功したと判断する。
【００５７】
リング管理サーバＭ１が通信回線Ｐ３又はＰ４の経路計算に失敗した場合、若しくは通信回線Ｐ３又はＰ４の設定に失敗した場合、応答メッセージＭ３０３及びＭ３０４は、局所網Ｌ３の広域網Ｗ１への接続が失敗したことを示す情報が含まれる。これにより、応答メッセージＭ３０４を受信したゲートウェイ制御部ＣＵ１は、広域網Ｗ１への接続に失敗したと判断する。
【００５８】
上記の説明は局所網を広域網に追加していく場合を例としたが、広域網から局所網を削除する場合には、広域網に残った局所網をリング状に結ぶようにリング管理サーバＭ１が通信回線を設定すればよい。
【００５９】
すなわち、ある局所網を除いた広域網において通信回線がリング型となるようにするためには、削除した局所網が端点となっている２本の通信回線を削除し、その通信回線の反対側の端点同士を結ぶように通信回線を１本追加すればよい。
【００６０】
具体例を挙げると、図２においてＯＸＣ  Ｘ１〜Ｘ３が、通信回線Ｐ１、Ｐ３及びＰ４でリング型ネットワークを形成しているとし、この状態で局所網Ｌ３が広域網Ｗ１から離脱して、ＯＸＣ  Ｘ３がリンクから除かれる場合には、通信回線Ｐ３及びＰ４を削除して、通信回線はＰ２又はＰ１’（Ｐ１と同じ経路）を追加することによって、広域網Ｗ１に残った局所網Ｌ１、Ｌ２をリング状に結ぶように通信回線を設定できる。
【００６１】
ただし、削除した局所網が端点となっている２本の通信回線を先に削除してしまうと、リングが切れた状態となってしまうため、先に通信回線を追加する。
【００６２】
上記の例では、通信回線Ｐ３、Ｐ４を削除する前に通信回線Ｐ２又はＰ１’を追加することで、Ｘ１（Ｌ１）とＸ２（Ｌ２）とが２本の通信回線でリング型に繋がれた状態を維持できる。
【００６３】
なお、追加する通信回線が、削除される２本の通信回線が使用している帯域を使う場合には、先に通信回線を追加することができず、２本の通信回線を先に削除しなければならなくなる。したがって、追加する通信回線には削除される２本の通信回線と被らないように経路・帯域を割り当てることが好ましい。
【００６４】
上記の例では、通信回線Ｐ２が通信回線Ｐ３及びＰ４と同時に存在する状態、又は、通信回線Ｐ１’が通信回線Ｐ１と同時に存在する状態としなければならないため、前者の場合には通信回線Ｐ３、Ｐ４が使用している帯域・リンクは通信回線Ｐ２に、後者の場合には、通信回線Ｐ１が使用している帯域・リンクは通信回線Ｐ１’には使用できない。従って、通信回線Ｐ２を追加する場合には通信回線Ｐ３、Ｐ４が使用していない空き帯域を、通信回線Ｐ１’を追加する場合には、通信回線Ｐ１が使用していない空き帯域を用いて通信回線を設定する。
【００６５】
このように、本実施形態によれば、中継網上に設定された通信回線を論理的なリンクとして、中継網に接続された異なる局所網間を接続して広域網を形成する通信システムにおいて、資源の利用効率と上位ネットワークの接続の信頼性をとの双方を向上させることができる。
【００６６】
なお、上記実施形態は本発明の好適な実施の一例であり、本発明はこれに限定されることはない。
例えば、以上の説明においては、局所網Ｌ１、Ｌ２、Ｌ３の順で広域網Ｗ１に接続する場合を例としたが、これ以外の順番であっても良い。
また、広域網に参加する局所網が四つ以上の場合も同様である。すなわち中継網は上記実施形態において図示した数よりも多くのＯＸＣ、光ファイバ及びエッジノードを備えていても構わない。
さらに、隣接するノードが複数の広域網で共通する場合には、通信回線の一部を共有しても良い。具体的には、図９に示すように、エッジノードＥ１、Ｅ２、Ｅ３を含む広域網Ｗ１と、エッジノードＥ２、Ｅ３を含む広域網Ｗ２とが存在する場合、隣接するエッジノードＥ２、Ｅ３が共通するため、通信回線Ｐ３を広域網Ｗ１と広域網Ｗ２とで共有することができる。
このように、本発明は様々な変形が可能である。
【符号の説明】
【００６７】
Ｂ１    中継網
Ｃ１    制御プレーン
Ｅ１、Ｅ２、Ｅ３    エッジノード
Ｌ１、Ｌ２、Ｌ３    局所網
Ｐ１、Ｐ２、Ｐ３、Ｐ４    通信回線
Ｕ１、Ｕ２、Ｕ３    ゲートウェイ
Ｗ１    広域網
Ｘ１、Ｘ２、Ｘ３    ＯＸＣ
ＣＥ１、ＣＥ２、ＣＥ３    エッジノード制御部
ＣＵ１、ＣＵ２、ＣＵ３    ゲートウェイ制御部
ＣＸ１、ＣＸ２、ＣＸ３    ＯＸＣ制御部
ＴＵ１、ＴＵ２    ユーザ制御通信部
ＳＣ１、ＳＣ２、ＳＣ３、ＳＣ４    資源制御部
ＲＣ１、ＲＣ２、ＲＣ３、ＲＣ４    経路制御部
ＸＣ１、ＸＣ２、ＸＣ３    スイッチ制御部
ＴＢ２、ＴＢ３、ＴＢ４    中継網制御通信部
ＲＭ４    リング管理部
ＴＭ４    トポロジ管理部
ＰＣ４    経路計算部
【図１】
2010226335.tif 000003
【図２】
2010226335.tif 000004
【図３】
2010226335.tif 000005
【図４】
2010226335.tif 000006
【図５】
2010226335.tif 000007
【図６】
2010226335.tif 000008
【図７】
2010226335.tif 000009
【図８】
2010226335.tif 000010
【図９】
2010226335.tif 000011